【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
出力信号を決定する方法であって、
第１の無線装置内に、第２の無線装置に関連する１つ以上の構成パラメータ設定を格納し、
前記第１の無線装置は前記第２の無線装置に関連する無線装置識別子に基づいて前記第２の無線装置を識別し、
前記第２の無線装置を識別する前記第１の無線装置に応答して、前記第１の無線装置はユーザ入力に基づいて出力信号を決定するのに使用すべき前記第２の無線装置に関連する前記１つ以上の構成パラメータ設定を自動的に決定し、
前記第１の無線装置は前記第２の無線装置との無線通信リンクを確立し、
前記第１の無線装置は前記ユーザ入力を受信し、
前記第１の無線装置は、
前記第２の無線装置に関連する前記１つ以上の構成パラメータ設定と、
前記ユーザ入力と、に基づいて前記出力信号を決定し、
前記第１の無線装置は前記無線通信リンクを介して前記第２の無線装置に前記出力信号を送信する、ステップを含む、出力信号決定方法。
【請求項２】
請求項１記載の方法であって、前記第１の無線装置による前記出力信号の決定は、前記第２の無線装置に関連する前記１つ以上の構成パラメータ設定の１つ以上に基づいて前記ユーザ入力を修正するかどうかに基づく、方法。
【請求項３】
請求項１記載の方法であって、さらに、前記第１の無線装置による前記出力信号の決定は、前記第２の無線装置に関連する前記１つ以上の構成パラメータ設定の１つ以上に基づいて修正された前記ユーザ入力に基づく、方法。
【請求項４】
請求項１記載の方法であって、さらに、
複数の無線装置識別子を前記第１の無線装置内に格納するステップであって、前記複数の無線装置識別子は前記第２の無線装置の前記識別子を含むステップと、
複数の構成パラメータ設定を前記第１の無線装置内に格納するステップであって、前記複数の構成パラメータ設定は前記第２の無線装置に関連する前記１つ以上の構成パラメータ設定を含むステップと、
を含む、方法。
【請求項５】
請求項１記載の方法であって、前記第１の無線装置はラジコン・ユニット用ラジコン送信コントローラを含む、方法。
【請求項６】
請求項１記載の方法であって、前記第２の無線装置はラジコン・ユニット用ラジコン受信機を含む方法。
【請求項７】
出力信号を決定する第１の無線装置であって、前記第１の無線装置は、
第２の無線装置に関連する１つ以上の構成パラメータ設定を格納し、
前記第２の無線装置に関連する無線装置識別子に基づいて前記第２の無線装置を識別し、
前記第２の無線装置の識別に応答して、ユーザ入力に基づいて出力信号を決定するのに使用すべき前記第２の無線装置に関連する前記１つ以上の構成パラメータ設定を自動的に決定し、
前記第２の無線装置との無線通信リンクを確立し、
前記ユーザ入力を受信し、
前記第２の無線装置に関連する前記１つ以上の構成パラメータ設定と、
前記ユーザ入力と、に基づいて前記出力信号を決定し、
前記無線通信リンクを介して前記第２の無線装置に前記出力信号を送信する、
ように構成される、第１の無線装置。
【請求項８】
請求項７記載の第１の無線装置であって、前記第１の無線装置による前記出力信号の決定は、前記第２の無線装置に関連する前記１つ以上の構成パラメータ設定の１つ以上に基づいて前記ユーザ入力を修正するかどうかに基づく、第１の無線装置。
【請求項９】
請求項７記載の第１の無線装置であって、前記出力信号の決定は、前記第２の無線装置に関連する前記１つ以上の構成パラメータ設定の１つ以上に基づいて修正された前記ユーザ入力に基づく、第１の無線装置。
【請求項１０】
請求項７記載の第１の無線装置であって、前記第１の無線装置は、さらに、
前記第２の無線装置の前記識別子を含む前記複数の無線装置識別子を格納し、
前記第２の無線装置に関連する前記１つ以上の構成パラメータ設定を含む複数の構成パラメータ設定を格納する、
ように構成される、第１の無線装置。
【請求項１１】
請求項７記載の第１の無線装置であって、前記第１の無線装置はラジコン・ユニット用ラジコン送信コントローラを含む、第１の無線装置。
【請求項１２】
請求項７記載の第１の無線装置であって、前記第２の無線装置はラジコン・ユニット用ラジコン受信機を含む、第１の無線装置。
【請求項１３】
ラジコン受信機に対するコマンドを決定する方法であって、
各々が複数の識別子の中の識別子に関連し、各々が１つ以上のパラメータ設定を含む複数の構成プロファイルを送信コントローラ内に格納し、
前記送信コントローラは前記複数の識別子の中の識別子を有する受信機を識別し、
前記受信機を識別する前記送信コントローラに応答して、前記送信コントローラは前記受信機の前記識別子に関連する前記複数の構成プロファイルの中の構成プロファイルを選択し、
前記送信コントローラは前記受信機との無線通信リンクを確立し、
前記送信コントローラはユーザ入力コマンドを受信し、
前記送信コントローラは前記選択された構成プロファイルおよび前記ユーザ入力コマンドに基づいて出力コマンドを決定し、
前記送信コントローラは前記無線通信リンクを介して前記受信機に前記出力コマンドを送信する、コマンド決定方法。
【請求項１４】
請求項１３記載の方法であって、さらに、ラジコン・ユニットへ前記出力コマンドを送信する前記受信機を含む、方法。
【請求項１５】
請求項１３記載の方法であって、前記送信コントローラによる前記選択された構成プロファイルに基く前記出力コマンドの決定は、前記選択された構成プロファイルに基づいて前記ユーザ入力コマンドを修正するかどうかに基づく、方法。
【請求項１６】
請求項１３記載の方法であって、前記送信コントローラによる前記出力コマンドの決定は、前記選択された構成プロファイルに基づいて修正された前記ユーザ入力コマンドに基づく、方法。
【請求項１７】
ラジコン受信機に対するコマンドを決定するラジコン送信コントローラであって、前記ラジコン送信コントローラは、
各々が複数の識別子の中の識別子に関連し、各々が１つ以上のパラメータ設定を含む複数の構成プロファイルを格納し、
前記複数の識別子の中の識別子を有する受信機を識別し、
前記受信機の識別に応答して、前記受信機の前記識別子に関連する前記複数の構成プロファイルの中の構成プロファイルを選択し、
前記受信機との無線通信リンクを確立し、
ユーザ入力コマンドを受信し、
前記選択された構成プロファイルおよび前記ユーザ入力コマンドに基づいて出力コマンドを決定し、
前記無線通信リンクを介して前記受信機に前記出力コマンドを送信する、
ように構成される、ラジコン送信コントローラ。
【請求項１８】
請求項１７記載のラジコン送信コントローラであって、前記送信コントローラは、さらに、
前記無線通信リンクおよび前記受信機を介してラジコン・ユニットへ前記出力コマンドを送信する、ように構成される、ラジコン送信コントローラ。
【請求項１９】
請求項１７記載のラジコン送信コントローラであって、前記出力コマンドの決定は、前記選択された構成プロファイルに基づいて前記ユーザ入力コマンドを修正するかどうかに基づく、ラジコン送信コントローラ。
【請求項２０】
請求項１７記載のラジコン送信コントローラであって、前記出力コマンドの決定は、前記選択された構成プロファイルに基づいて修正された前記ユーザ入力コマンドに基づく、ラジコン送信コントローラ。